【手続補正書】
【提出日】平成19年11月22日(2007.11.22)
【手続補正１】
【補正対象書類名】明細書
【補正対象項目名】発明の名称
【補正方法】変更
【補正の内容】
【発明の名称】対物レンズ及び光ピックアップ装置
【手続補正２】
【補正対象書類名】明細書
【補正対象項目名】特許請求の範囲
【補正方法】変更
【補正の内容】
【特許請求の範囲】
【請求項１】  光源と、前記光源から出射された発散光束が対物レンズに入射され、光情報記録媒体の情報記録面に集光させるための前記対物レンズを含む集光光学系とを有し、透明基板の厚さがｔ1である第１の光情報記録媒体と、透明基板の厚さがｔ2（ｔ1＜ｔ2）である第２の光情報記録媒体に対して情報の記録及び／又は再生を行うことが可能な光ピックアップ装置の対物レンズであって、
前記対物レンズはプラスチックレンズであり、
前記対物レンズの少なくとも一方の面は、有効径内の少なくとも周辺側の領域に、回折構造を備え、前記光源から出射された光束の温度変化δＴに対する球面収差の変化をδＳＡ１／δＴ、前記光源の波長をλとしたとき、下記条件式を満たすことを特徴とする対物レンズ。
│δＳＡ１／δＴ│≦０．００２λｒｍｓ／℃
【請求項２】  前記δＳＡ１／δＴが、下記条件式を満たすことを特徴とする請求項１に記載の対物レンズ。
│δＳＡ１／δＴ│≦０．０００５λｒｍｓ／℃
【請求項３】  前記対物レンズの前記周辺側の領域の回折構造は回折輪帯であり、前記光源から出射された光束のうち、前記対物レンズの前記周辺側の領域の回折構造を通過する光束が、前記回折構造によって発生する最大光量の回折光をｎ次光とし、前記対物レンズの焦点距離をｆとしたときに、前記回折輪帯の平均ピッチＰｏｕｔが、
２．００×１０-4≦Ｐｏｕｔ／（｜ｎ｜・ｆ）≦３．００×１０-2
を満たすことを特徴とする請求項１又は２に記載の対物レンズ。
【請求項４】  前記回折輪帯の平均ピッチＰｏｕｔが、
１．００×１０-3≦Ｐｏｕｔ／（｜ｎ｜・ｆ）≦３．００×１０-3
を満たすことを特徴とする請求項３に記載の対物レンズ。
【請求項５】  前記回折輪帯の平均ピッチＰｏｕｔが
３．００×１０-3≦Ｐｏｕｔ／（｜ｎ｜・ｆ）≦８．００×１０-3
を満たすことを特徴とする請求項３に記載の対物レンズ。
【請求項６】  前記対物レンズの光学面は、光軸に直交する方向に並んだ３種類以上の光学面領域で構成され、前記３種類の光学面領域を光軸側から光軸側の光学面領域、中間の光学面領域、外側の光学面領域としたとき、前記外側の光学面領域が前記周辺側の領域であることを特徴とする請求項１乃至５のいずれかに記載の対物レンズ。
【請求項７】  前記光軸側の光学面領域と前記中間の光学面領域との境界、及び前記中間の光学面領域と前記外側の光学面領域との境界の少なくとも一方において、球面収差に関し不連続としたことを特徴とする請求項６に記載の対物レンズ。
【請求項８】  前記光軸側の光学面領域に、回折輪帯を形成した回折部が形成されており、前記光源から出射された光束のうち、前記光源側の光学面領域の回折構造を通過する光束が、該回折構造によって発生する最大光量の回折光をｎ次光とし、前記対物レンズの焦点距離をｆとしたときに、その回折輪帯の平均ピッチＰｉｎが
３．００×１０-3≦Ｐｉｎ／（｜ｎ｜・ｆ）≦８．０×１０-2
を満たすことを特徴とする請求項６又は７に記載の対物レンズ。
【請求項９】  前記外側の光学面領域は、前記第１の光情報記録媒体に対して情報の記録又は再生を行う際に球面収差を補正する機能を有することを特徴とする請求項６乃至８のいずれかに記載の対物レンズ。
【請求項１０】  前記第１の光情報記録媒体に対して情報の記録又は再生を行う際には、前記外側の光学面領域を通過する光束の球面収差に対して、前記中間の光学面領域を通過する光束の球面収差を不連続としフレア成分とすると共に、前記第２の光情報記録媒体に対して情報の記録又は再生を行う際には、前記中間の光学面領域を通過する光束を用いることを特徴とする請求項６乃至９のいずれかに記載の対物レンズ。
【請求項１１】  前記中間の光学面領域は、透明基板の厚さｔ（ｔ1＜ｔ＜ｔ2）に対して球面収差を補正する機能を有することを特徴とする請求項６乃至１０のいずれかに記載の対物レンズ。
【請求項１２】  前記第１の光情報記録媒体に対して情報の記録又は再生を行う際には、主に前記光軸側の光学面領域と前記外側の光学面領域とを通過する光束を用い、前記第２の光情報記録媒体に対して情報の記録又は再生を行う際には、主に前記光軸側の光学面領域と前記中間の光学面領域を通過する光束を用いることを特徴とする請求項６乃至１１のいずれかに記載の対物レンズ。
【請求項１３】  前記第２の光情報記録媒体に対して情報の記録又は再生を行う際に、必要開口数をＮＡ2、及び前記対物レンズの焦点距離をｆ2とした場合に、前記中間の光学面領域は、光軸からの最短距離ＮＡＨ（ｍｍ）からＮＡＬ（ｍｍ）の範囲に形成されるものとすると、
（ＮＡ2−０．０３）ｆ2≦ＮＡＨ≦（ＮＡ2＋０．０３）ｆ2
（ＮＡ2−０．２０）ｆ2≦ＮＡＬ≦（ＮＡ2−０．０４）ｆ2
が満たされることを特徴とする請求項６乃至１２のいずれかに記載の対物レンズ。
【請求項１４】  前記第１の光情報記録媒体に対して情報の記録又は再生を行う際には、前記中間の光学面領域を通過する光束にアンダーな球面収差を持たせることを特徴とする請求項６乃至１３のいずれかに記載の対物レンズ。
【請求項１５】  前記光軸側の光学面領域は、前記第１の光情報記録媒体に対して情報の記録又は再生を行う際に球面収差を補正する機能を有することを特徴とする請求項６乃至１４のいずれかに記載の対物レンズ。
【請求項１６】  前記光軸側の光学面領域は、前記第１の光情報記録媒体に対して情報の記録又は再生を行う際に温度特性を補正する機能を有することを特徴とする請求項６乃至１５のいずれかに記載の対物レンズ。
【請求項１７】  前記対物レンズの光学面は、光軸に直交する方向に並んだ２種類以上の光学面領域で構成され、前記２種類の光学面領域を光軸側から光軸側の光学面領域、外側の光学面領域としたとき、前記外側の光学面領域が前記周辺側の領域であることを特徴とする請求項１乃至５のいずれかに記載の対物レンズ。
【請求項１８】  前記光軸側の光学面領域に、回折輪帯を形成した回折部が形成されており、前記光源から出射された光束のうち、前記光源側の光学面領域の回折構造を通過する光束が、該回折構造によって発生する最大光量の回折光をｎ次光とし、前記対物レンズの焦点距離をｆとしたときに、その回折輪帯の平均ピッチＰｉｎが
３．００×１０-3≦Ｐｉｎ／（｜ｎ｜・ｆ）≦８．０×１０-2
を満たすことを特徴とする請求項１７に記載の対物レンズ。
【請求項１９】  前記外側の光学面領域は、前記第１の光情報記録媒体に対して情報の記録又は再生を行う際に球面収差を補正する機能を有することを特徴とする請求項１７又は１８に記載の対物レンズ。
【請求項２０】  前記光軸側の光学面領域は、透明基板の厚さｔ（ｔ1＜ｔ＜ｔ2）に対して球面収差を補正する機能を有することを特徴とする請求項１７乃至１９のいずれかに記載の対物レンズ。
【請求項２１】  前記光軸側の光学面領域は、前記第１の光情報記録媒体に対して情報の記録又は再生を行う際には、そこを通過する光束にアンダーな球面収差を持たせ、前記第２の光情報記録媒体に対して情報の記録又は再生を行う際には、そこを通過する光束にオーバーな球面収差を持たせることを特徴とする請求項１７乃至２０のいずれかに記載の対物レンズ。
【請求項２２】  前記第２の光情報記録媒体に対して情報の記録又は再生を行う際に、必要開口数をＮＡ2、及び前記対物レンズの焦点距離をｆ2とした場合に、前記光軸側の光学面領域が、光軸から、光軸からの最短距離ＮＡＨ（ｍｍ）の範囲内に形成されるものとすると、
（ＮＡ2−０．０３）ｆ2≦ＮＡＨ≦（ＮＡ2＋０．０３）ｆ2
が満たされることを特徴とする請求項２０又は２１に記載の対物レンズ。
【請求項２３】  前記第１の光情報記録媒体に対して情報の記録又は再生を行う際における前記対物レンズの結像倍率ｍ１が、
−１／２≦ｍ１≦−１／７．５
を満たすことを特徴とする請求項１乃至２２のいずれかに記載の対物レンズ。
【請求項２４】  前記第２の光情報記録媒体に対して情報の記録又は再生を行う際における前記対物レンズの結像倍率ｍ２が、ｍ２≒ｍ１であることを特徴とする請求項１乃至２３のいずれかに記載の対物レンズ。
【請求項２５】  互いに波長が異なる第１光源及び第２光源と、前記第１及び第２光源から出射された発散光束が対物レンズに入射され、光情報記録媒体の情報記録面に集光させるための前記対物レンズを含む集光光学系とを用いて、透明基板の厚さがｔ１である第１の光情報記録媒体に対して情報の記録及び／又は再生を行うことが可能であるとともに、透明基板の厚さがｔ2（ｔ1＜ｔ2）である第２の光情報記録媒体に対して情報の記録及び／又は再生を行うことが可能な光ピックアップ装置の対物レンズであって、
前記対物レンズはプラスチックレンズであり、
前記対物レンズの少なくとも一方の面は、有効径内の少なくとも周辺側の領域に、回折構造を備え、前記第１光源から出射された光束の温度変化δＴに対する球面収差の変化をδＳＡ１／δＴ、前記第１光源の波長をλ１としたとき、下記条件式を満たすことを特徴とする対物レンズ。
│δＳＡ１／δＴ│≦０．００２λ１ｒｍｓ／℃
【請求項２６】  光源と、前記光源から出射された発散光束が対物レンズに入射され、光情報記録媒体の情報記録面に集光させるための前記対物レンズを含む集光光学系とを有し、透明基板の厚さがｔ1である第１の光情報記録媒体と、透明基板の厚さがｔ2（ｔ1／ｔ2）である第２の光情報記録媒体に対して情報の記録及び／又は再生を行うことが可能な光ピックアップ装置の対物レンズであって、
前記対物レンズはプラスチックレンズであり、
前記対物レンズの少なくとも一方の面は、有効径内に、前記対物レンズの光軸から周辺に向かって少なくとも２種類の領域を備え、前記有効径内の少なくとも周辺側の領域に、回折構造を備え、
前記光源から出射された光束のうち、前記周辺側の領域の回折構造を通過した光束における、温度変化δＴに対する球面収差の変化をδＳＡ１／δＴ、前記光源の波長をλとしたとき、下記条件式を満たすと共に、
│δＳＡ１／δＴ│≦０．００２λｒｍｓ／℃
前記周辺側の領域よりも内側の領域は、前記第２の光情報記録媒体に対する情報の記録又は再生用に球面収差を補正するよう設計されていることを特徴とする対物レンズ。
【請求項２７】  互いに波長が異なる第１光源及び第２光源と、前記第１及び第２光源から出射された発散光束が対物レンズに入射され、光情報記録媒体の情報記録面に集光させるための前記対物レンズの対物レンズを含む集光光学系とを有し、前記第１光源と前記集光光学系とを用いて、透明基板の厚さがｔ１である第１の光情報記録媒体に対して情報の記録及び／又は再生を行うことが可能であるとともに、前記第２光源と前記集光光学系とを用いて、透明基板の厚さがｔ2（ｔ1＜ｔ2）である第２の光情報記録媒体に対して情報の記録及び／又は再生を行うことが可能な光ピックアップ装置の対物レンズであって、
前記対物レンズはプラスチックレンズであり、
前記対物レンズの少なくとも一方の面は、有効径内に、前記対物レンズの光軸から周辺に向かって少なくとも２種類の領域を備え、前記有効径内の少なくとも周辺側の領域に、回折構造を備え、
前記第１光源から出射された光束のうち、前記周辺側の領域の回折構造を通過した光束における、温度変化δＴに対する球面収差の変化をδＳＡ１／δＴ、前記第１光源の波長をλとしたとき、下記条件式を満たすと共に、
│δＳＡ１／δＴ│≦０．００２λｒｍｓ／℃
前記周辺側の領域よりも内側の領域は、前記第２の光情報記録媒体に対する情報の記録又は再生用に球面収差を補正するよう設計されていることを特徴とする対物レンズ。
【請求項２８】  光源から出射された光を、光情報記録媒体の透明基板を介して、その情報記録面に集光させることにより、前記光情報記録媒体に対して情報の記録及び／又は再生を行うための対物レンズにおいて、
前記対物レンズの少なくとも一方の面は、前記対物レンズの有効径内において、少なくとも２種類以上の光学面領域で構成され、光軸直角方向において最も外側の光学面領域、もしくは最も外側の光学面領域を通過した光束が通過する他方の面の領域には回折輪帯を形成したｎ次光を利用する回折部が形成されており、
前記対物レンズの焦点距離をｆとしたときに、前記回折輪帯の平均ピッチＰｏｕｔが、
２．００×１０-4≦Ｐｏｕｔ／（｜ｎ｜・ｆ）≦３．５０×１０-3
を満たすことを特徴とする対物レンズ。
【請求項２９】  透明基板の厚さがｔ1である第１の光情報記録媒体と、透明基板の厚さがｔ2（ｔ1＜ｔ2）である第２の光情報記録媒体に対して光束を出射する光源と、前記光源から出射された光束を、前記第１及び前記第２の光情報記録媒体の透明基板を介して情報記録面に集光させる対物レンズを含む集光光学系と、を有し、各光情報記録媒体に対して情報の記録及び／又は再生を行う光ピックアップ装置の対物レンズにおいて、
前記対物レンズの少なくとも一方の面は、前記対物レンズの有効径内において、少なくとも２種類以上の光学面領域で構成され、
光軸直角方向において最も外側の光学面領域、もしくは最も外側の光学面領域を通過した光束が通過する他方の面の領域には回折輪帯を形成することで、前記第１の光情報記録媒体の情報の記録又は再生を行う際に、前記最も外側の光学面領域を通過する光束に対して温度特性の補正を行うようになっており、
一方、外側の光学面領域より内側の領域を通過する光束に対して、前記第２の光情報記録媒体の情報の記録又は再生用の球面収差の設計が行われることを特徴とする対物レンズ。
【請求項３０】  請求項１乃至２９のいずれかに記載の対物レンズを用いたことを特徴とする光ピックアップ装置。
【請求項３１】  光源と、前記光源から出射された光束を光情報記録媒体の情報記録面に集光させるための対物レンズを含む集光光学系とを有し、透明基板の厚さがｔ1である第１の光情報記録媒体と、透明基板の厚さがｔ2（ｔ1＜ｔ2）である第２の光情報記録媒体に対して情報の記録及び／又は再生を行うことが可能な光ピックアップ装置において、
前記対物レンズはプラスチックレンズであり、
前記第１の光情報記録媒体に対して情報の記録又は再生を行う際および前記第２の光情報記録媒体に対して情報の記録又は再生を行う際に、前記光源からの発散光束が前記対物レンズに入射され、
前記光源の波長をλ、物像間距離変化δＵ（│δＵ│≦０．５ｍｍ）に対する球面収差の変化をδＳＡ1／δＵ、温度変化δＴ（│δＴ│≦３０℃）に対する球面収差の変化をδＳＡ2／δＴとしたとき、下記条件式を満たすことを特徴とする光ピックアップ装置。
│δＳＡ1／δＵ│・│δＵ│＋│δＳＡ2／δＴ│・│δＴ│
≦０．０７λｒｍｓ
【請求項３２】  互いに波長が異なる第１光源及び第２光源と、前記第１及び第２光源から出射された光束を光情報記録媒体の情報記録面に集光させるための対物レンズを含む集光光学系とを有し、前記第１光源と前記集光光学系とを用いて、透明基板の厚さがｔ1である第１の光情報記録媒体に対して情報の記録及び／又は再生を行うことが可能であると共に、前記第２光源と前記集光光学系とを用いて、透明基板の厚さがｔ2（ｔ1＜ｔ2）である第２の光情報記録媒体に対して情報の記録及び／又は再生を行うことが可能な光ピックアップ装置において、
前記対物レンズはプラスチックレンズであり、
前記第１の光情報記録媒体に対して情報の記録又は再生を行う際には、前記第１光源からの発散光束が前記対物レンズに入射され、
前記第１光源の波長をλ１、物像間距離変化δＵ（│δＵ│≦０．５ｍｍ）に対する球面収差の変化をδＳＡ3／δＵ、温度変化δＴ（│δＴ│≦３０℃）に対する球面収差の変化をδＳＡ4／δＴとしたとき、下記条件式を満たすとともに、
│δＳＡ3／δＵ│・│δＵ│＋│δＳＡ4／δＴ│・│δＴ│
≦０．０７λ１ｒｍｓ
前記第２の光情報記録媒体に対して情報の記録又は再生を行う際には、前記第２光源からの発散光束が前記対物レンズに入射され、
前記第２光源の波長をλ２、物像間距離変化δＵ（│δＵ│≦０．５ｍｍ）に対する球面収差の変化をδＳＡ5／δＵ、温度変化δＴ（│δＴ│≦３０℃）に対する球面収差の変化をδＳＡ6／δＴとしたとき、下記条件式を満たすことを特徴とする光ピックアップ装置。
│δＳＡ5／δＵ│・│δＵ│＋│δＳＡ6／δＴ│・│δＴ│
≦０．０７λ２ｒｍｓ
【請求項３３】  透明基板の厚さがｔ1である第１の光情報記録媒体と、透明基板の厚さがｔ2（ｔ1＜ｔ2）である第２の光情報記録媒体に対して光束を出射する光源と、前記光源から出射された光束を、前記第１及び前記第２の光情報記録媒体の透明基板を介して情報記録面に集光させる対物レンズを含む集光光学系と、を有し、各光情報記録媒体に対して情報の記録及び／又は再生を行う光ピックアップ装置において、
前記対物レンズの少なくとも一方の面は、前記対物レンズの有効径内において、少なくとも２種類以上の光学面領域で構成され、光軸直角方向において最も外側の光学面領域、もしくは最も外側の光学面領域を通過した光束が通過する他方の面の領域には回折輪帯を形成したｎ次光を利用する回折部が形成されており、
前記対物レンズの焦点距離をｆとしたときに、前記回折輪帯の平均ピッチＰｏｕｔが
２．００×１０-4≦Ｐｏｕｔ／（｜ｎ｜・ｆ）≦３．５０×１０-3
を満たすことを特徴とする光ピックアップ装置。
【請求項３４】  透明基板の厚さがｔ1である第１の光情報記録媒体と、透明基板の厚さがｔ2（ｔ1＜ｔ2）である第２の光情報記録媒体に対して光束を出射する光源と、前記光源から出射された光束を、前記第１及び前記第２の光情報記録媒体の透明基板を介して情報記録面に集光させる対物レンズを含む集光光学系と、を有し、各光情報記録媒体に対して情報の記録及び／又は再生を行う光ピックアップ装置において、
前記対物レンズの少なくとも一方の面は、前記対物レンズの有効径内において、少なくとも２種類以上の光学面領域で構成され、
前記対物レンズの光軸直角方向において最も外側の光学面領域、もしくは最も外側の光学面領域を通過した光束が通過する他方の面の領域には回折輪帯を形成することで、前記第１の光情報記録媒体の情報の記録又は再生を行う際に、前記最も外側の光学面領域を通過する光束に対して温度特性の補正を行うようになっており、
一方、外側の光学面領域より内側の領域を通過する光束に対して、前記第２の光情報記録媒体の情報の記録又は再生用の球面収差の設計が行われることを特徴とする光ピックアップ装置。
【請求項３５】  透明基板の厚さがｔ1である第１の光情報記録媒体に対して光束を出射する波長λ1の第１の光源と、透明基板の厚さがｔ2（ｔ1＜ｔ2）である第２の光情報記録媒体に対して光束を出射する波長λ2（λ1＜λ2）である第２の光源と、前記第１及び前記第２の光源から出射された光束を、前記第１び前記第２の光情報記録媒体の透明基板を介して情報記録面に集光させる対物レンズを含む集光光学系と、を有し、各光情報記録媒体に対して情報の記録及び／又は再生を行う光ピックアップ装置において、
前記対物レンズの少なくとも一方の面は、前記対物レンズの有効径内において、少なくとも２種類以上の光学面領域で構成され、
前記対物レンズの光軸直角方向において最も外側の光学面領域、もしくは最も外側の光学面領域を通過した光束が通過する他方の面の領域には回折輪帯を形成することで、前記第１の光情報記録媒体の情報の記録又は再生を行う際に、前記最も外側の光学面領域を通過する光束に対して温度特性の補正を行うようになっており、
一方、外側の光学面領域より内側の領域を通過する光束に対して、前記第２の光情報記録媒体の情報の記録又は再生用の球面収差の設計が行われることを特徴とする光ピックアップ装置。
【手続補正３】
【補正対象書類名】明細書
【補正対象項目名】００３３
【補正方法】削除
【補正の内容】
【手続補正４】
【補正対象書類名】明細書
【補正対象項目名】００３４
【補正方法】削除
【補正の内容】
【手続補正５】
【補正対象書類名】明細書
【補正対象項目名】００３５
【補正方法】削除
【補正の内容】
【手続補正６】
【補正対象書類名】明細書
【補正対象項目名】００３６
【補正方法】削除
【補正の内容】
【手続補正７】
【補正対象書類名】明細書
【補正対象項目名】００３７
【補正方法】削除
【補正の内容】
【手続補正８】
【補正対象書類名】明細書
【補正対象項目名】００３８
【補正方法】削除
【補正の内容】
【手続補正９】
【補正対象書類名】明細書
【補正対象項目名】００３９
【補正方法】削除
【補正の内容】
【手続補正１０】
【補正対象書類名】明細書
【補正対象項目名】００４０
【補正方法】削除
【補正の内容】
【手続補正１１】
【補正対象書類名】明細書
【補正対象項目名】００４１
【補正方法】削除
【補正の内容】
【手続補正１２】
【補正対象書類名】明細書
【補正対象項目名】００４２
【補正方法】削除
【補正の内容】
【手続補正１３】
【補正対象書類名】明細書
【補正対象項目名】００４３
【補正方法】削除
【補正の内容】
【手続補正１４】
【補正対象書類名】明細書
【補正対象項目名】００４４
【補正方法】削除
【補正の内容】
【手続補正１５】
【補正対象書類名】明細書
【補正対象項目名】００４５
【補正方法】削除
【補正の内容】
【手続補正１６】
【補正対象書類名】明細書
【補正対象項目名】００４６
【補正方法】削除
【補正の内容】
【手続補正１７】
【補正対象書類名】明細書
【補正対象項目名】００４７
【補正方法】削除
【補正の内容】
【手続補正１８】
【補正対象書類名】明細書
【補正対象項目名】００４８
【補正方法】削除
【補正の内容】
【手続補正１９】
【補正対象書類名】明細書
【補正対象項目名】００４９
【補正方法】削除
【補正の内容】
【手続補正２０】
【補正対象書類名】明細書
【補正対象項目名】００５０
【補正方法】削除
【補正の内容】
【手続補正２１】
【補正対象書類名】明細書
【補正対象項目名】００５１
【補正方法】削除
【補正の内容】
【手続補正２２】
【補正対象書類名】明細書
【補正対象項目名】００５２
【補正方法】削除
【補正の内容】
【手続補正２３】
【補正対象書類名】明細書
【補正対象項目名】００５３
【補正方法】削除
【補正の内容】
【手続補正２４】
【補正対象書類名】明細書
【補正対象項目名】００５４
【補正方法】削除
【補正の内容】
【手続補正２５】
【補正対象書類名】明細書
【補正対象項目名】００５５
【補正方法】削除
【補正の内容】
【手続補正２６】
【補正対象書類名】明細書
【補正対象項目名】００５６
【補正方法】削除
【補正の内容】
【手続補正２７】
【補正対象書類名】明細書
【補正対象項目名】００５７
【補正方法】削除
【補正の内容】
【手続補正２８】
【補正対象書類名】明細書
【補正対象項目名】００５８
【補正方法】削除
【補正の内容】
【手続補正２９】
【補正対象書類名】明細書
【補正対象項目名】００５９
【補正方法】削除
【補正の内容】
【手続補正３０】
【補正対象書類名】明細書
【補正対象項目名】００６０
【補正方法】削除
【補正の内容】
【手続補正３１】
【補正対象書類名】明細書
【補正対象項目名】００６１
【補正方法】削除
【補正の内容】
【手続補正３２】
【補正対象書類名】明細書
【補正対象項目名】００６２
【補正方法】削除
【補正の内容】
【手続補正３３】
【補正対象書類名】明細書
【補正対象項目名】００６３
【補正方法】削除
【補正の内容】
【手続補正３４】
【補正対象書類名】明細書
【補正対象項目名】００６４
【補正方法】削除
【補正の内容】
【手続補正３５】
【補正対象書類名】明細書
【補正対象項目名】００６５
【補正方法】削除
【補正の内容】
【手続補正３６】
【補正対象書類名】明細書
【補正対象項目名】００６６
【補正方法】削除
【補正の内容】
【手続補正３７】
【補正対象書類名】明細書
【補正対象項目名】００６７
【補正方法】削除
【補正の内容】
【手続補正３８】
【補正対象書類名】明細書
【補正対象項目名】００６８
【補正方法】削除
【補正の内容】
【手続補正３９】
【補正対象書類名】明細書
【補正対象項目名】００６９
【補正方法】削除
【補正の内容】
【手続補正４０】
【補正対象書類名】明細書
【補正対象項目名】００７０
【補正方法】削除
【補正の内容】
【手続補正４１】
【補正対象書類名】明細書
【補正対象項目名】００７１
【補正方法】削除
【補正の内容】
【手続補正４２】
【補正対象書類名】明細書
【補正対象項目名】００７２
【補正方法】削除
【補正の内容】
【手続補正４３】
【補正対象書類名】明細書
【補正対象項目名】００７３
【補正方法】削除
【補正の内容】
【手続補正４４】
【補正対象書類名】明細書
【補正対象項目名】００７４
【補正方法】削除
【補正の内容】
【手続補正４５】
【補正対象書類名】明細書
【補正対象項目名】００７５
【補正方法】削除
【補正の内容】
【手続補正４６】
【補正対象書類名】明細書
【補正対象項目名】００７６
【補正方法】削除
【補正の内容】
【手続補正４７】
【補正対象書類名】明細書
【補正対象項目名】００７７
【補正方法】削除
【補正の内容】
【手続補正４８】
【補正対象書類名】明細書
【補正対象項目名】００７８
【補正方法】削除
【補正の内容】
【手続補正４９】
【補正対象書類名】明細書
【補正対象項目名】００７９
【補正方法】削除
【補正の内容】
【手続補正５０】
【補正対象書類名】明細書
【補正対象項目名】００８０
【補正方法】削除
【補正の内容】
【手続補正５１】
【補正対象書類名】明細書
【補正対象項目名】００８１
【補正方法】削除
【補正の内容】
【手続補正５２】
【補正対象書類名】明細書
【補正対象項目名】００８２
【補正方法】削除
【補正の内容】
【手続補正５３】
【補正対象書類名】明細書
【補正対象項目名】００８３
【補正方法】削除
【補正の内容】
【手続補正５４】
【補正対象書類名】明細書
【補正対象項目名】００８４
【補正方法】削除
【補正の内容】
【手続補正５５】
【補正対象書類名】明細書
【補正対象項目名】００８５
【補正方法】削除
【補正の内容】
【手続補正５６】
【補正対象書類名】明細書
【補正対象項目名】００８６
【補正方法】変更
【補正の内容】
【００８６】
請求項１に記載の対物レンズは、光源と、前記光源から出射された発散光束が対物レンズに入射され、光情報記録媒体の情報記録面に集光させるための前記対物レンズを含む集光光学系とを有し、透明基板の厚さがｔ１である第１の光情報記録媒体と、透明基板の厚さがｔ2（ｔ1＜ｔ2）である第２の光情報記録媒体に対して情報の記録及び／又は再生を行うことが可能な光ピックアップ装置の対物レンズであって、
前記対物レンズはプラスチックレンズであり、
前記対物レンズの少なくとも一方の面は、有効径内の少なくとも周辺側の領域に、回折構造を備え、前記光源から出射された光束の温度変化δＴに対する球面収差の変化をδＳＡ１／δＴ、前記光源の波長をλとしたとき、下記条件式を満たすことを特徴とする。
│δＳＡ１／δＴ│≦０．００２λｒｍｓ／℃                    （３８）
【手続補正５７】
【補正対象書類名】明細書
【補正対象項目名】００８７
【補正方法】変更
【補正の内容】
【００８７】
請求項１に記載の対物レンズは、前記周辺側の領域に上記（３８）式を満足する回折構造を設けることで、その対物レンズを光ピックアップ装置に配置して光源からの発散光束を対物レンズに入射させた状態でも、２つの光情報記憶媒体に対して情報の記録又は再生を適切に行うことができ、対物レンズに入射させる平行光束を形成するためのコリメータレンズなどを省略でき、コスト低減を図れると共に、光ピックアップ装置の構成をコンパクト化できる。
【手続補正５８】
【補正対象書類名】明細書
【補正対象項目名】００８８
【補正方法】変更
【補正の内容】
【００８８】
請求項２に記載の対物レンズは、前記δＳＡ１／δＴが、下記条件式を満たすことを特徴とする。
│δＳＡ１／δＴ│≦０．０００５λｒｍｓ／℃                    （３９）
【手続補正５９】
【補正対象書類名】明細書
【補正対象項目名】００８９
【補正方法】変更
【補正の内容】
【００８９】
請求項３に記載の対物レンズは、前記対物レンズの前記周辺側の領域の回折構造は回折輪帯であり、前記光源から出射された光束のうち、前記対物レンズの前記周辺側の領域の回折構造を通過する光束が、前記回折構造によって発生する最大光量の回折光をｎ次光とし、前記対物レンズの焦点距離をｆとしたときに、前記回折輪帯の平均ピッチＰｏｕｔが、
２．００×１０-4≦Ｐｏｕｔ／（｜ｎ｜・ｆ）≦３．００×１０-2    （４０）
を満たすことを特徴とする。
【手続補正６０】
【補正対象書類名】明細書
【補正対象項目名】００９０
【補正方法】変更
【補正の内容】
【００９０】
請求項４に記載の対物レンズは、前記回折輪帯の平均ピッチＰｏｕｔが
１．００×１０-3≦Ｐｏｕｔ／（｜ｎ｜・ｆ）≦３．００×１０-3    （４１）
を満たすことを特徴とする。
【手続補正６１】
【補正対象書類名】明細書
【補正対象項目名】００９１
【補正方法】変更
【補正の内容】
【００９１】
請求項５に記載の対物レンズは、前記回折輪帯の平均ピッチＰｏｕｔが
３．００×１０-3≦Ｐｏｕｔ／（｜ｎ｜・ｆ）≦８．００×１０-3    （４２）
を満たすことを特徴とする。
【手続補正６２】
【補正対象書類名】明細書
【補正対象項目名】００９２
【補正方法】変更
【補正の内容】
【００９２】
請求項６に記載の対物レンズは、前記対物レンズの光学面は、光軸に直交する方向に並んだ３種類以上の光学面領域で構成され、前記３種類の光学面領域を光軸側から光軸側の光学面領域、中間の光学面領域、外側の光学面領域としたとき、前記外側の光学面領域が前記周辺側の領域であることを特徴とする。
【手続補正６３】
【補正対象書類名】明細書
【補正対象項目名】００９３
【補正方法】変更
【補正の内容】
【００９３】
請求項７に記載の対物レンズは、前記光軸側の光学面領域と前記中間の光学面領域との境界、及び前記中間の光学面領域と前記外側の光学面領域との境界の少なくとも一方において、球面収差に関し不連続としたことを特徴とする。
【手続補正６４】
【補正対象書類名】明細書
【補正対象項目名】００９４
【補正方法】変更
【補正の内容】
【００９４】
請求項８に記載の対物レンズは、前記光軸側の光学面領域に、回折輪帯を形成した回折部が形成されており、前記光源から出射された光束のうち、前記光源側の光学面領域の回折構造を通過する光束が、該回折構造によって発生する最大光量の回折光をｎ次光とし、前記対物レンズの焦点距離をｆとしたときに、その回折輪帯の平均ピッチＰｉｎが
３．００×１０-3≦Ｐｉｎ／（｜ｎ｜・ｆ）≦８．０×１０-2        （４３）
を満たすことを特徴とする。
【手続補正６５】
【補正対象書類名】明細書
【補正対象項目名】００９５
【補正方法】変更
【補正の内容】
【００９５】
請求項９に記載の対物レンズは、前記外側の光学面領域は、前記第１の光情報記録媒体に対して情報の記録又は再生を行う際に球面収差を補正する機能を有することを特徴とする。
【手続補正６６】
【補正対象書類名】明細書
【補正対象項目名】００９６
【補正方法】変更
【補正の内容】
【００９６】
請求項１０に記載の対物レンズは、前記第１の光情報記録媒体に対して情報の記録又は再生を行う際には、前記外側の光学面領域を通過する光束の球面収差に対して、前記中間の光学面領域を通過する光束の球面収差を不連続としフレア成分とすると共に、前記第２の光情報記録媒体に対して情報の記録又は再生を行う際には、前記中間の光学面領域を通過する光束を用いることを特徴とする。
【手続補正６７】
【補正対象書類名】明細書
【補正対象項目名】００９７
【補正方法】変更
【補正の内容】
【００９７】
請求項１１に記載の対物レンズは、前記中間の光学面領域は、透明基板の厚さｔ（ｔ1＜ｔ＜ｔ2）に対して球面収差を補正する機能を有することを特徴とする。
【手続補正６８】
【補正対象書類名】明細書
【補正対象項目名】００９８
【補正方法】変更
【補正の内容】
【００９８】
請求項１２に記載の対物レンズは、前記第１の光情報記録媒体に対して情報の記録又は再生を行う際には、主に前記光軸側の光学面領域と前記外側の光学面領域とを通過する光束を用い、前記第２の光情報記録媒体に対して情報の記録又は再生を行う際には、主に前記光軸側の光学面領域と前記中間の光学面領域を通過する光束を用いることを特徴とする。
【手続補正６９】
【補正対象書類名】明細書
【補正対象項目名】００９９
【補正方法】変更
【補正の内容】
【００９９】
請求項１３に記載の対物レンズは、前記第２の光情報記録媒体に対して情報の記録又は再生を行う際に、必要開口数をＮＡ2、及び前記対物レンズの焦点距離をｆ2とした場合に、前記中間の光学面領域は、光軸からの最短距離ＮＡＨ（ｍｍ）からＮＡＬ（ｍｍ）の範囲に形成されるものとすると、
（ＮＡ2−０．０３）ｆ2≦ＮＡＨ≦（ＮＡ2＋０．０３）ｆ2        （４４）
（ＮＡ2−０．２０）ｆ2≦ＮＡＬ≦（ＮＡ2−０．０４）ｆ2        （４５）
が満たされることを特徴とする。
【手続補正７０】
【補正対象書類名】明細書
【補正対象項目名】０１００
【補正方法】変更
【補正の内容】
【０１００】
請求項１４に記載の対物レンズは、前記第１の光情報記録媒体に対して情報の記録又は再生を行う際には、前記中間の光学面領域を通過する光束にアンダーな球面収差を持たせることを特徴とする。
【手続補正７１】
【補正対象書類名】明細書
【補正対象項目名】０１０１
【補正方法】変更
【補正の内容】
【０１０１】
請求項１５に記載の対物レンズは、前記光軸側の光学面領域は、前記第１の光情報記録媒体に対して情報の記録又は再生を行う際に球面収差を補正する機能を有することを特徴とする。
【手続補正７２】
【補正対象書類名】明細書
【補正対象項目名】０１０２
【補正方法】変更
【補正の内容】
【０１０２】
請求項１６に記載の対物レンズは、前記光軸側の光学面領域は、前記第１の光情報記録媒体に対して情報の記録又は再生を行う際に温度特性を補正する機能を有することを特徴とする。
【手続補正７３】
【補正対象書類名】明細書
【補正対象項目名】０１０３
【補正方法】変更
【補正の内容】
【０１０３】
請求項１７に記載の対物レンズは、前記対物レンズの光学面は、光軸に直交する方向に並んだ２種類以上の光学面領域で構成され、前記２種類の光学面領域を光軸側から光軸側の光学面領域、外側の光学面領域としたとき、前記外側の光学面領域が前記周辺側の領域であることを特徴とする。
【手続補正７４】
【補正対象書類名】明細書
【補正対象項目名】０１０４
【補正方法】変更
【補正の内容】
【０１０４】
請求項１８に記載の対物レンズは、前記光軸側の光学面領域に、回折輪帯を形成した回折部が形成されており、前記光源から出射された光束のうち、前記光源側の光学面領域の回折構造を通過する光束が、該回折構造によって発生する最大光量の回折光をｎ次光とし、前記対物レンズの焦点距離をｆとしたときに、その回折輪帯の平均ピッチＰｉｎが
３．００×１０-3≦Ｐｉｎ／（｜ｎ｜・ｆ）≦８．０×１０-2      （４６）
を満たすことを特徴とする。
【手続補正７５】
【補正対象書類名】明細書
【補正対象項目名】０１０５
【補正方法】変更
【補正の内容】
【０１０５】
請求項１９に記載の対物レンズは、前記外側の光学面領域は、前記第１の光情報記録媒体に対して情報の記録又は再生を行う際に球面収差を補正する機能を有することを特徴とする。
【手続補正７６】
【補正対象書類名】明細書
【補正対象項目名】０１０６
【補正方法】変更
【補正の内容】
【０１０６】
請求項２０に記載の対物レンズは、前記光軸側の光学面領域は、透明基板の厚さｔ（ｔ1＜ｔ＜ｔ2）に対して球面収差を補正する機能を有することを特徴とする。
【手続補正７７】
【補正対象書類名】明細書
【補正対象項目名】０１０７
【補正方法】変更
【補正の内容】
【０１０７】
請求項２１に記載の対物レンズは、前記光軸側の光学面領域は、前記第１の光情報記録媒体に対して情報の記録又は再生を行う際には、そこを通過する光束にアンダーな球面収差を持たせ、前記第２の光情報記録媒体に対して情報の記録又は再生を行う際には、そこを通過する光束にオーバーな球面収差を持たせることを特徴とする。
【手続補正７８】
【補正対象書類名】明細書
【補正対象項目名】０１０８
【補正方法】変更
【補正の内容】
【０１０８】
請求項２２に記載の対物レンズは、前記第２の光情報記録媒体に対して情報の記録又は再生を行う際に、必要開口数をＮＡ2、及び前記対物レンズの焦点距離をｆ2とした場合に、前記光軸側の光学面領域が、光軸から、光軸からの最短距離ＮＡＨ（ｍｍ）の範囲内に形成されるものとすると、
（ＮＡ2−０．０３）ｆ2≦ＮＡＨ≦（ＮＡ2＋０．０３）ｆ2        （４７）
が満たされることを特徴とする。
【手続補正７９】
【補正対象書類名】明細書
【補正対象項目名】０１０９
【補正方法】変更
【補正の内容】
【０１０９】
請求項２３に記載の対物レンズは、前記第１の光情報記録媒体に対して情報の記録又は再生を行う際における前記対物レンズの結像倍率ｍ１が、
−１／２≦ｍ１≦−１／７．５                                  （４８）
を満たすことを特徴とする。
【手続補正８０】
【補正対象書類名】明細書
【補正対象項目名】０１１０
【補正方法】変更
【補正の内容】
【０１１０】
請求項２４に記載の対物レンズは、前記第２の光情報記録媒体に対して情報の記録又は再生を行う際における前記対物レンズの結像倍率ｍ２が、ｍ２≒ｍ１であることを特徴とする。
【手続補正８１】
【補正対象書類名】明細書
【補正対象項目名】０１１１
【補正方法】変更
【補正の内容】
【０１１１】
請求項２５に記載の対物レンズは、互いに波長が異なる第１光源及び第２光源と、前記第１及び第２光源から出射された発散光束が対物レンズに入射され、光情報記録媒体の情報記録面に集光させるための前記対物レンズを含む集光光学系とを用いて、透明基板の厚さがｔ１である第１の光情報記録媒体に対して情報の記録及び／又は再生を行うことが可能であるとともに、透明基板の厚さがｔ2（ｔ1＜ｔ2）である第２の光情報記録媒体に対して情報の記録及び／又は再生を行うことが可能な光ピックアップ装置の対物レンズであって、
前記対物レンズはプラスチックレンズであり、
前記対物レンズの少なくとも一方の面は、有効径内の少なくとも周辺側の領域に、回折構造を備え、前記第１光源から出射された光束の温度変化δＴに対する球面収差の変化をδＳＡ１／δＴ、前記第１光源の波長をλ１としたとき、下記条件式を満たすことを特徴とする。
│δＳＡ１／δＴ│≦０．００２λ１ｒｍｓ／℃                  （４９）
【手続補正８２】
【補正対象書類名】明細書
【補正対象項目名】０１１２
【補正方法】変更
【補正の内容】
【０１１２】
請求項２５に記載の対物レンズは、前記周辺側の領域に上記（４９）式を満足する回折構造を設けることで、その対物レンズを光ピックアップ装置に配置して波長が異なるそれぞれの光源からの発散光束を対物レンズに入射させた状態でも、２つの光情報記憶媒体に対して情報の記録又は再生を適切に行うことができ、対物レンズに入射させる平行光束を形成するためのコリメータレンズなどを省略でき、コスト低減を図れると共に、光ピックアップ装置の構成をコンパクト化できる。
【手続補正８３】
【補正対象書類名】明細書
【補正対象項目名】０１１３
【補正方法】削除
【補正の内容】
【手続補正８４】
【補正対象書類名】明細書
【補正対象項目名】０１１４
【補正方法】削除
【補正の内容】
【手続補正８５】
【補正対象書類名】明細書
【補正対象項目名】０１１５
【補正方法】削除
【補正の内容】
【手続補正８６】
【補正対象書類名】明細書
【補正対象項目名】０１１６
【補正方法】削除
【補正の内容】
【手続補正８７】
【補正対象書類名】明細書
【補正対象項目名】０１１７
【補正方法】削除
【補正の内容】
【手続補正８８】
【補正対象書類名】明細書
【補正対象項目名】０１１８
【補正方法】削除
【補正の内容】
【手続補正８９】
【補正対象書類名】明細書
【補正対象項目名】０１１９
【補正方法】削除
【補正の内容】
【手続補正９０】
【補正対象書類名】明細書
【補正対象項目名】０１２０
【補正方法】削除
【補正の内容】
【手続補正９１】
【補正対象書類名】明細書
【補正対象項目名】０１２１
【補正方法】削除
【補正の内容】
【手続補正９２】
【補正対象書類名】明細書
【補正対象項目名】０１２２
【補正方法】削除
【補正の内容】
【手続補正９３】
【補正対象書類名】明細書
【補正対象項目名】０１２３
【補正方法】削除
【補正の内容】
【手続補正９４】
【補正対象書類名】明細書
【補正対象項目名】０１２４
【補正方法】削除
【補正の内容】
【手続補正９５】
【補正対象書類名】明細書
【補正対象項目名】０１２５
【補正方法】削除
【補正の内容】
【手続補正９６】
【補正対象書類名】明細書
【補正対象項目名】０１２６
【補正方法】削除
【補正の内容】
【手続補正９７】
【補正対象書類名】明細書
【補正対象項目名】０１２７
【補正方法】削除
【補正の内容】
【手続補正９８】
【補正対象書類名】明細書
【補正対象項目名】０１２８
【補正方法】削除
【補正の内容】
【手続補正９９】
【補正対象書類名】明細書
【補正対象項目名】０１２９
【補正方法】削除
【補正の内容】
【手続補正１００】
【補正対象書類名】明細書
【補正対象項目名】０１３０
【補正方法】削除
【補正の内容】
【手続補正１０１】
【補正対象書類名】明細書
【補正対象項目名】０１３１
【補正方法】削除
【補正の内容】
【手続補正１０２】
【補正対象書類名】明細書
【補正対象項目名】０１３２
【補正方法】削除
【補正の内容】
【手続補正１０３】
【補正対象書類名】明細書
【補正対象項目名】０１３３
【補正方法】削除
【補正の内容】
【手続補正１０４】
【補正対象書類名】明細書
【補正対象項目名】０１３４
【補正方法】削除
【補正の内容】
【手続補正１０５】
【補正対象書類名】明細書
【補正対象項目名】０１３５
【補正方法】削除
【補正の内容】
【手続補正１０６】
【補正対象書類名】明細書
【補正対象項目名】０１３６
【補正方法】変更
【補正の内容】
【０１３６】
請求項２６に記載の対物レンズは、光源と、前記光源から出射された発散光束が対物レンズに入射され、光情報記録媒体の情報記録面に集光させるための前記対物レンズを含む集光光学系とを有し、透明基板の厚さがｔ1である第１の光情報記録媒体と、透明基板の厚さがｔ2（ｔ1／ｔ2）である第２の光情報記録媒体に対して情報の記録及び／又は再生を行うことが可能な光ピックアップ装置の対物レンズであって、
前記対物レンズはプラスチックレンズであり、
前記対物レンズの少なくとも一方の面は、有効径内に、前記対物レンズの光軸から周辺に向かって少なくとも２種類の領域を備え、前記有効径内の少なくとも周辺側の領域に、回折構造を備え、
前記光源から出射された光束のうち、前記周辺側の領域の回折構造を通過した光束における、温度変化δＴに対する球面収差の変化をδＳＡ１／δＴ、前記光源の波長をλとしたとき、下記条件式を満たすと共に、
│δＳＡ１／δＴ│≦０．００２λｒｍｓ／℃
前記周辺側の領域よりも内側の領域は、前記第２の光情報記録媒体に対する情報の記録又は再生用に球面収差を補正するよう設計されていることを特徴とする。
【手続補正１０７】
【補正対象書類名】明細書
【補正対象項目名】０１３７
【補正方法】変更
【補正の内容】
【０１３７】
請求項２６に記載の対物レンズは、前記周辺側の領域の回折構造によって、前記第１の光情報記録媒体に対する情報の記録又は再生時に、温度変化に対する球面収差の変化δＳＡ１／δＴを補正し、一方、前記周辺側の領域よりも内側の領域で、前記第２の光情報記録媒体に対する情報の記録又は再生時に球面収差を補正するので、前記対物レンズを光ピックアップ装置に配置して光源からの発散光束を対物レンズに入射させた状態でも、双方の光情報記憶媒体に対して情報の記録又は再生を適切に行うことができ、対物レンズに入射させる平行光束を形成するためのコリメータレンズなどを省略でき、コスト低減を図れると共に、光ピックアップ装置の構成をコンパクト化できる。
【手続補正１０８】
【補正対象書類名】明細書
【補正対象項目名】０１３８
【補正方法】削除
【補正の内容】
【手続補正１０９】
【補正対象書類名】明細書
【補正対象項目名】０１３９
【補正方法】削除
【補正の内容】
【手続補正１１０】
【補正対象書類名】明細書
【補正対象項目名】０１４０
【補正方法】削除
【補正の内容】
【手続補正１１１】
【補正対象書類名】明細書
【補正対象項目名】０１４１
【補正方法】削除
【補正の内容】
【手続補正１１２】
【補正対象書類名】明細書
【補正対象項目名】０１４２
【補正方法】削除
【補正の内容】
【手続補正１１３】
【補正対象書類名】明細書
【補正対象項目名】０１４３
【補正方法】削除
【補正の内容】
【手続補正１１４】
【補正対象書類名】明細書
【補正対象項目名】０１４４
【補正方法】削除
【補正の内容】
【手続補正１１５】
【補正対象書類名】明細書
【補正対象項目名】０１４５
【補正方法】削除
【補正の内容】
【手続補正１１６】
【補正対象書類名】明細書
【補正対象項目名】０１４６
【補正方法】削除
【補正の内容】
【手続補正１１７】
【補正対象書類名】明細書
【補正対象項目名】０１４７
【補正方法】削除
【補正の内容】
【手続補正１１８】
【補正対象書類名】明細書
【補正対象項目名】０１４８
【補正方法】削除
【補正の内容】
【手続補正１１９】
【補正対象書類名】明細書
【補正対象項目名】０１４９
【補正方法】削除
【補正の内容】
【手続補正１２０】
【補正対象書類名】明細書
【補正対象項目名】０１５０
【補正方法】削除
【補正の内容】
【手続補正１２１】
【補正対象書類名】明細書
【補正対象項目名】０１５１
【補正方法】削除
【補正の内容】
【手続補正１２２】
【補正対象書類名】明細書
【補正対象項目名】０１５２
【補正方法】削除
【補正の内容】
【手続補正１２３】
【補正対象書類名】明細書
【補正対象項目名】０１５３
【補正方法】削除
【補正の内容】
【手続補正１２４】
【補正対象書類名】明細書
【補正対象項目名】０１５４
【補正方法】削除
【補正の内容】
【手続補正１２５】
【補正対象書類名】明細書
【補正対象項目名】０１５５
【補正方法】削除
【補正の内容】
【手続補正１２６】
【補正対象書類名】明細書
【補正対象項目名】０１５６
【補正方法】削除
【補正の内容】
【手続補正１２７】
【補正対象書類名】明細書
【補正対象項目名】０１５７
【補正方法】削除
【補正の内容】
【手続補正１２８】
【補正対象書類名】明細書
【補正対象項目名】０１５８
【補正方法】削除
【補正の内容】
【手続補正１２９】
【補正対象書類名】明細書
【補正対象項目名】０１５９
【補正方法】削除
【補正の内容】
【手続補正１３０】
【補正対象書類名】明細書
【補正対象項目名】０１６０
【補正方法】削除
【補正の内容】
【手続補正１３１】
【補正対象書類名】明細書
【補正対象項目名】０１６１
【補正方法】変更
【補正の内容】
【０１６１】
請求項２７に記載の対物レンズは、互いに波長が異なる第１光源及び第２光源と、前記第１及び第２光源から出射された発散光束が対物レンズに入射され、光情報記録媒体の情報記録面に集光させるための前記対物レンズを含む集光光学系とを有し、前記第１光源と前記集光光学系とを用いて、透明基板の厚さがｔ１である第１の光情報記録媒体に対して情報の記録及び／又は再生を行うことが可能であるとともに、前記第２光源と前記集光光学系とを用いて、透明基板の厚さがｔ2（ｔ1＜ｔ2）である第２の光情報記録媒体に対して情報の記録及び／又は再生を行うことが可能な光ピックアップ装置の対物レンズであって、
前記対物レンズはプラスチックレンズであり、
前記対物レンズの少なくとも一方の面は、有効径内に、前記対物レンズの光軸から周辺に向かって少なくとも２種類の領域を備え、前記有効径内の少なくとも周辺側の領域に、回折構造を備え、
前記第１光源から出射された光束のうち、前記周辺側の領域の回折構造を通過した光束における、温度変化δＴに対する球面収差の変化をδＳＡ１／δＴ、前記第１光源の波長をλとしたとき、下記条件式を満たすと共に、
│δＳＡ１／δＴ│≦０．００２λｒｍｓ／℃                 （７０）
前記周辺側の領域よりも内側の領域は、前記第２の光情報記録媒体に対する情報の記録又は再生用に球面収差を補正するよう設計されていることを特徴とする。
【手続補正１３２】
【補正対象書類名】明細書
【補正対象項目名】０１６２
【補正方法】変更
【補正の内容】
【０１６２】
請求項２７に記載の対物レンズは、前記周辺側の領域の回折構造によって、前記第１の光情報記録媒体に対する情報の記録又は再生時に、温度変化に対する球面収差の変化δＳＡ１／δＴを補正し、一方、前記周辺側の領域よりも内側の領域で、前記第２の光情報記録媒体に対する情報の記録又は再生時に球面収差を補正するので、前記対物レンズを光ピックアップ装置に配置して、それぞれ異なる光源波長の発散光束をそれぞれ対物レンズに入射させた状態でも、双方の光情報記憶媒体に対して情報の記録又は再生を適切に行うことができ、対物レンズに入射させる平行光束を形成するためのコリメータレンズなどを省略でき、コスト低減を図れると共に、光ピックアップ装置の構成をコンパクト化できる。
【手続補正１３３】
【補正対象書類名】明細書
【補正対象項目名】０１６３
【補正方法】削除
【補正の内容】
【手続補正１３４】
【補正対象書類名】明細書
【補正対象項目名】０１６４
【補正方法】削除
【補正の内容】
【手続補正１３５】
【補正対象書類名】明細書
【補正対象項目名】０１６５
【補正方法】削除
【補正の内容】
【手続補正１３６】
【補正対象書類名】明細書
【補正対象項目名】０１６６
【補正方法】削除
【補正の内容】
【手続補正１３７】
【補正対象書類名】明細書
【補正対象項目名】０１６７
【補正方法】削除
【補正の内容】
【手続補正１３８】
【補正対象書類名】明細書
【補正対象項目名】０１６８
【補正方法】削除
【補正の内容】
【手続補正１３９】
【補正対象書類名】明細書
【補正対象項目名】０１６９
【補正方法】削除
【補正の内容】
【手続補正１４０】
【補正対象書類名】明細書
【補正対象項目名】０１７０
【補正方法】削除
【補正の内容】
【手続補正１４１】
【補正対象書類名】明細書
【補正対象項目名】０１７１
【補正方法】削除
【補正の内容】
【手続補正１４２】
【補正対象書類名】明細書
【補正対象項目名】０１７２
【補正方法】削除
【補正の内容】
【手続補正１４３】
【補正対象書類名】明細書
【補正対象項目名】０１７３
【補正方法】削除
【補正の内容】
【手続補正１４４】
【補正対象書類名】明細書
【補正対象項目名】０１７４
【補正方法】削除
【補正の内容】
【手続補正１４５】
【補正対象書類名】明細書
【補正対象項目名】０１７５
【補正方法】削除
【補正の内容】
【手続補正１４６】
【補正対象書類名】明細書
【補正対象項目名】０１７６
【補正方法】削除
【補正の内容】
【手続補正１４７】
【補正対象書類名】明細書
【補正対象項目名】０１７７
【補正方法】削除
【補正の内容】
【手続補正１４８】
【補正対象書類名】明細書
【補正対象項目名】０１７８
【補正方法】削除
【補正の内容】
【手続補正１４９】
【補正対象書類名】明細書
【補正対象項目名】０１７９
【補正方法】削除
【補正の内容】
【手続補正１５０】
【補正対象書類名】明細書
【補正対象項目名】０１８０
【補正方法】削除
【補正の内容】
【手続補正１５１】
【補正対象書類名】明細書
【補正対象項目名】０１８１
【補正方法】削除
【補正の内容】
【手続補正１５２】
【補正対象書類名】明細書
【補正対象項目名】０１８２
【補正方法】削除
【補正の内容】
【手続補正１５３】
【補正対象書類名】明細書
【補正対象項目名】０１８３
【補正方法】削除
【補正の内容】
【手続補正１５４】
【補正対象書類名】明細書
【補正対象項目名】０１８４
【補正方法】削除
【補正の内容】
【手続補正１５５】
【補正対象書類名】明細書
【補正対象項目名】０１８５
【補正方法】削除
【補正の内容】
【手続補正１５６】
【補正対象書類名】明細書
【補正対象項目名】０１８６
【補正方法】削除
【補正の内容】
【手続補正１５７】
【補正対象書類名】明細書
【補正対象項目名】０１８７
【補正方法】削除
【補正の内容】
【手続補正１５８】
【補正対象書類名】明細書
【補正対象項目名】０１８８
【補正方法】削除
【補正の内容】
【手続補正１５９】
【補正対象書類名】明細書
【補正対象項目名】０１８９
【補正方法】削除
【補正の内容】
【手続補正１６０】
【補正対象書類名】明細書
【補正対象項目名】０１９０
【補正方法】削除
【補正の内容】
【手続補正１６１】
【補正対象書類名】明細書
【補正対象項目名】０１９１
【補正方法】削除
【補正の内容】
【手続補正１６２】
【補正対象書類名】明細書
【補正対象項目名】０１９２
【補正方法】削除
【補正の内容】
【手続補正１６３】
【補正対象書類名】明細書
【補正対象項目名】０１９３
【補正方法】削除
【補正の内容】
【手続補正１６４】
【補正対象書類名】明細書
【補正対象項目名】０１９４
【補正方法】削除
【補正の内容】
【手続補正１６５】
【補正対象書類名】明細書
【補正対象項目名】０１９５
【補正方法】削除
【補正の内容】
【手続補正１６６】
【補正対象書類名】明細書
【補正対象項目名】０１９６
【補正方法】削除
【補正の内容】
【手続補正１６７】
【補正対象書類名】明細書
【補正対象項目名】０１９７
【補正方法】削除
【補正の内容】
【手続補正１６８】
【補正対象書類名】明細書
【補正対象項目名】０１９８
【補正方法】削除
【補正の内容】
【手続補正１６９】
【補正対象書類名】明細書
【補正対象項目名】０１９９
【補正方法】削除
【補正の内容】
【手続補正１７０】
【補正対象書類名】明細書
【補正対象項目名】０２００
【補正方法】削除
【補正の内容】
【手続補正１７１】
【補正対象書類名】明細書
【補正対象項目名】０２０１
【補正方法】削除
【補正の内容】
【手続補正１７２】
【補正対象書類名】明細書
【補正対象項目名】０２０２
【補正方法】削除
【補正の内容】
【手続補正１７３】
【補正対象書類名】明細書
【補正対象項目名】０２０３
【補正方法】削除
【補正の内容】
【手続補正１７４】
【補正対象書類名】明細書
【補正対象項目名】０２０４
【補正方法】削除
【補正の内容】
【手続補正１７５】
【補正対象書類名】明細書
【補正対象項目名】０２０５
【補正方法】削除
【補正の内容】
【手続補正１７６】
【補正対象書類名】明細書
【補正対象項目名】０２０６
【補正方法】変更
【補正の内容】
【０２０６】
請求項２８に記載の対物レンズは、光源から出射された光を、光情報記録媒体の透明基板を介して、その情報記録面に集光させることにより、前記光情報記録媒体に対して情報の記録及び／又は再生を行うための対物レンズにおいて、
前記対物レンズの少なくとも一方の面は、前記対物レンズの有効径内において、少なくとも２種類以上の光学面領域で構成され、光軸直角方向において最も外側の光学面領域、もしくは最も外側の光学面領域を通過した光束が通過する他方の面の領域には回折輪帯を形成したｎ次光を利用する回折部が形成されており、
前記対物レンズの焦点距離をｆとしたときに、前記回折輪帯の平均ピッチＰｏｕｔが、
２．００×１０-4≦Ｐｏｕｔ／（｜ｎ｜・ｆ）≦３．５０×１０-3      （９３）
を満たすことを特徴とする。
【手続補正１７７】
【補正対象書類名】明細書
【補正対象項目名】０２０７
【補正方法】変更
【補正の内容】
【０２０７】
ここで、例えば発散光束を入射される対物レンズの場合、（１）式に示すｍが０ではなくなるので、温度変化に対する球面収差の変化量が大きくなってしまう。そこで、請求項２８に記載の対物レンズのように、回折輪帯を設け、かつその平均ピッチＰｏｕｔを（９３）式を満たすようにすることで、温度変化に対する球面収差の変化を押さえ、発散光束を入射された場合でも、良好な特性を得ることができるので、コリメータレンズなどを省略可能であり、その場合はコンパクト化・低コスト化が図れる。
【手続補正１７８】
【補正対象書類名】明細書
【補正対象項目名】０２０８
【補正方法】削除
【補正の内容】
【手続補正１７９】
【補正対象書類名】明細書
【補正対象項目名】０２０９
【補正方法】削除
【補正の内容】
【手続補正１８０】
【補正対象書類名】明細書
【補正対象項目名】０２１０
【補正方法】削除
【補正の内容】
【手続補正１８１】
【補正対象書類名】明細書
【補正対象項目名】０２１１
【補正方法】削除
【補正の内容】
【手続補正１８２】
【補正対象書類名】明細書
【補正対象項目名】０２１２
【補正方法】削除
【補正の内容】
【手続補正１８３】
【補正対象書類名】明細書
【補正対象項目名】０２１３
【補正方法】削除
【補正の内容】
【手続補正１８４】
【補正対象書類名】明細書
【補正対象項目名】０２１４
【補正方法】削除
【補正の内容】
【手続補正１８５】
【補正対象書類名】明細書
【補正対象項目名】０２１５
【補正方法】削除
【補正の内容】
【手続補正１８６】
【補正対象書類名】明細書
【補正対象項目名】０２１６
【補正方法】削除
【補正の内容】
【手続補正１８７】
【補正対象書類名】明細書
【補正対象項目名】０２１７
【補正方法】削除
【補正の内容】
【手続補正１８８】
【補正対象書類名】明細書
【補正対象項目名】０２１８
【補正方法】削除
【補正の内容】
【手続補正１８９】
【補正対象書類名】明細書
【補正対象項目名】０２１９
【補正方法】削除
【補正の内容】
【手続補正１９０】
【補正対象書類名】明細書
【補正対象項目名】０２２０
【補正方法】削除
【補正の内容】
【手続補正１９１】
【補正対象書類名】明細書
【補正対象項目名】０２２１
【補正方法】削除
【補正の内容】
【手続補正１９２】
【補正対象書類名】明細書
【補正対象項目名】０２２２
【補正方法】削除
【補正の内容】
【手続補正１９３】
【補正対象書類名】明細書
【補正対象項目名】０２２３
【補正方法】削除
【補正の内容】
【手続補正１９４】
【補正対象書類名】明細書
【補正対象項目名】０２２４
【補正方法】削除
【補正の内容】
【手続補正１９５】
【補正対象書類名】明細書
【補正対象項目名】０２２５
【補正方法】削除
【補正の内容】
【手続補正１９６】
【補正対象書類名】明細書
【補正対象項目名】０２２６
【補正方法】削除
【補正の内容】
【手続補正１９７】
【補正対象書類名】明細書
【補正対象項目名】０２２７
【補正方法】削除
【補正の内容】
【手続補正１９８】
【補正対象書類名】明細書
【補正対象項目名】０２２８
【補正方法】削除
【補正の内容】
【手続補正１９９】
【補正対象書類名】明細書
【補正対象項目名】０２２９
【補正方法】削除
【補正の内容】
【手続補正２００】
【補正対象書類名】明細書
【補正対象項目名】０２３０
【補正方法】削除
【補正の内容】
【手続補正２０１】
【補正対象書類名】明細書
【補正対象項目名】０２３１
【補正方法】削除
【補正の内容】
【手続補正２０２】
【補正対象書類名】明細書
【補正対象項目名】０２３２
【補正方法】削除
【補正の内容】
【手続補正２０３】
【補正対象書類名】明細書
【補正対象項目名】０２３３
【補正方法】削除
【補正の内容】
【手続補正２０４】
【補正対象書類名】明細書
【補正対象項目名】０２３４
【補正方法】削除
【補正の内容】
【手続補正２０５】
【補正対象書類名】明細書
【補正対象項目名】０２３５
【補正方法】削除
【補正の内容】
【手続補正２０６】
【補正対象書類名】明細書
【補正対象項目名】０２３６
【補正方法】削除
【補正の内容】
【手続補正２０７】
【補正対象書類名】明細書
【補正対象項目名】０２３７
【補正方法】削除
【補正の内容】
【手続補正２０８】
【補正対象書類名】明細書
【補正対象項目名】０２３８
【補正方法】削除
【補正の内容】
【手続補正２０９】
【補正対象書類名】明細書
【補正対象項目名】０２３９
【補正方法】削除
【補正の内容】
【手続補正２１０】
【補正対象書類名】明細書
【補正対象項目名】０２４０
【補正方法】削除
【補正の内容】
【手続補正２１１】
【補正対象書類名】明細書
【補正対象項目名】０２４１
【補正方法】削除
【補正の内容】
【手続補正２１２】
【補正対象書類名】明細書
【補正対象項目名】０２４２
【補正方法】削除
【補正の内容】
【手続補正２１３】
【補正対象書類名】明細書
【補正対象項目名】０２４３
【補正方法】削除
【補正の内容】
【手続補正２１４】
【補正対象書類名】明細書
【補正対象項目名】０２４４
【補正方法】削除
【補正の内容】
【手続補正２１５】
【補正対象書類名】明細書
【補正対象項目名】０２４５
【補正方法】削除
【補正の内容】
【手続補正２１６】
【補正対象書類名】明細書
【補正対象項目名】０２４６
【補正方法】削除
【補正の内容】
【手続補正２１７】
【補正対象書類名】明細書
【補正対象項目名】０２４７
【補正方法】削除
【補正の内容】
【手続補正２１８】
【補正対象書類名】明細書
【補正対象項目名】０２４８
【補正方法】削除
【補正の内容】
【手続補正２１９】
【補正対象書類名】明細書
【補正対象項目名】０２４９
【補正方法】削除
【補正の内容】
【手続補正２２０】
【補正対象書類名】明細書
【補正対象項目名】０２５０
【補正方法】削除
【補正の内容】
【手続補正２２１】
【補正対象書類名】明細書
【補正対象項目名】０２５１
【補正方法】削除
【補正の内容】
【手続補正２２２】
【補正対象書類名】明細書
【補正対象項目名】０２５２
【補正方法】削除
【補正の内容】
【手続補正２２３】
【補正対象書類名】明細書
【補正対象項目名】０２５３
【補正方法】削除
【補正の内容】
【手続補正２２４】
【補正対象書類名】明細書
【補正対象項目名】０２５４
【補正方法】削除
【補正の内容】
【手続補正２２５】
【補正対象書類名】明細書
【補正対象項目名】０２５５
【補正方法】変更
【補正の内容】
【０２５５】
請求項２９に記載の対物レンズは、透明基板の厚さがｔ1である第１の光情報記録媒体と、透明基板の厚さがｔ2（ｔ1＜ｔ2）である第２の光情報記録媒体に対して光束を出射する光源と、前記光源から出射された光束を、前記第１及び前記第２の光情報記録媒体の透明基板を介して情報記録面に集光させる対物レンズを含む集光光学系と、を有し、各光情報記録媒体に対して情報の記録及び／又は再生を行う光ピックアップ装置の対物レンズにおいて、
前記対物レンズの少なくとも一方の面は、前記対物レンズの有効径内において、少なくとも２種類以上の光学面領域で構成され、
光軸直角方向において最も外側の光学面領域、もしくは最も外側の光学面領域を通過した光束が通過する他方の面の領域には回折輪帯を形成することで、前記第１の光情報記録媒体の情報の記録又は再生を行う際に、前記最も外側の光学面領域を通過する光束に対して温度特性の補正を行うようになっており、
一方、外側の光学面領域より内側の領域を通過する光束に対して、前記第２の光情報記録媒体の情報の記録又は再生用の球面収差の設計が行われることを特徴とする。
【手続補正２２６】
【補正対象書類名】明細書
【補正対象項目名】０２５６
【補正方法】変更
【補正の内容】
【０２５６】
請求項２９に記載の対物レンズによれば、前記回折輪帯を用いることで、前記第１の光情報記録媒体の情報の記録又は再生を行う際に、前記最も外側の光学面領域を通過する光束に対して温度特性の補正を行うようになっており、外側の光学面領域より内側の領域を通過する光束に対して、前記第２の光情報記録媒体の情報の記録又は再生用の球面収差の設計が行われるようになっているので、温度特性の補正と球面収差の設計とをバランスよく行うことができる。
【手続補正２２７】
【補正対象書類名】明細書
【補正対象項目名】０２５７
【補正方法】変更
【補正の内容】
【０２５７】
請求項３０に記載の光ピックアップ装置は、請求項１乃至２９のいずれかに記載の対物レンズを用いたことを特徴とする。
【手続補正２２８】
【補正対象書類名】明細書
【補正対象項目名】０２５８
【補正方法】変更
【補正の内容】
【０２５８】
請求項３１に記載の光ピックアップ装置は、光源と、前記光源から出射された光束を光情報記録媒体の情報記録面に集光させるための対物レンズを含む集光光学系とを有し、透明基板の厚さがｔ1である第１の光情報記録媒体と、透明基板の厚さがｔ2（ｔ1＜ｔ2）である第２の光情報記録媒体に対して情報の記録及び／又は再生を行うことが可能な光ピックアップ装置において、
前記対物レンズはプラスチックレンズであり、
前記第１の光情報記録媒体に対して情報の記録又は再生を行う際および前記第２の光情報記録媒体に対して情報の記録又は再生を行う際に、前記光源からの発散光束が前記対物レンズに入射され、
前記光源の波長をλ、物像間距離変化δＵ（│δＵ│≦０．５ｍｍ）に対する球面収差の変化をδＳＡ1／δＵ、温度変化δＴ（│δＴ│≦３０℃）に対する球面収差の変化をδＳＡ2／δＴとしたとき、下記条件式を満たすことを特徴とする。
│δＳＡ1／δＵ│・│δＵ│＋│δＳＡ2／δＴ│・│δＴ│≦０．０７λｒｍｓ
（１４）
【手続補正２２９】
【補正対象書類名】明細書
【補正対象項目名】０２５９
【補正方法】変更
【補正の内容】
【０２５９】
請求項３１に記載の光ピックアップ装置において、例えば対物レンズに回折構造を設けるなどして、│δＳＡ1／δＵ│・│δＵ│と│δＳＡ2／δＴ│・│δＴ│との和に着目し、その和を０．０７λｒｍｓ以下とすることで、前記対物レンズに単一光源波長の発散光束を入射させた状態でも、２つの光情報記憶媒体に対して情報の記録又は再生を適切に行うことができ、対物レンズに入射させる平行光束を形成するためのコリメータレンズなどを省略でき、コスト低減を図れると共に、光ピックアップ装置の構成をコンパクト化できる。
【手続補正２３０】
【補正対象書類名】明細書
【補正対象項目名】０２６０
【補正方法】変更
【補正の内容】
【０２６０】
請求項３２に記載の光ピックアップ装置は、互いに波長が異なる第１光源及び第２光源と、前記第１及び第２光源から出射された光束を光情報記録媒体の情報記録面に集光させるための対物レンズを含む集光光学系とを有し、前記第１光源と前記集光光学系とを用いて、透明基板の厚さがｔ1である第１の光情報記録媒体に対して情報の記録及び／又は再生を行うことが可能であると共に、前記第２光源と前記集光光学系とを用いて、透明基板の厚さがｔ2（ｔ1＜ｔ2）である第２の光情報記録媒体に対して情報の記録及び／又は再生を行うことが可能な光ピックアップ装置において、
前記対物レンズはプラスチックレンズであり、
前記第１の光情報記録媒体に対して情報の記録又は再生を行う際には、前記第１光源からの発散光束が前記対物レンズに入射され、
前記第１光源の波長をλ１、物像間距離変化δＵ（│δＵ│≦０．５ｍｍ）に対する球面収差の変化をδＳＡ3／δＵ、温度変化δＴ（│δＴ│≦３０℃）に対する球面収差の変化をδＳＡ4／δＴとしたとき、下記条件式を満たすとともに、
│δＳＡ3／δＵ│・│δＵ│＋│δＳＡ4／δＴ│・│δＴ│≦０．０７λ１ｒｍｓ （２６）
前記第２の光情報記録媒体に対して情報の記録又は再生を行う際には、前記第２光源からの発散光束が前記対物レンズに入射され、
前記第２光源の波長をλ２、物像間距離変化δＵ（│δＵ│≦０．５ｍｍ）に対する球面収差の変化をδＳＡ5／δＵ、温度変化δＴ（│δＴ│≦３０℃）に対する球面収差の変化をδＳＡ6／δＴとしたとき、下記条件式を満たすことを特徴とする。
│δＳＡ5／δＵ│・│δＵ│＋│δＳＡ6／δＴ│・│δＴ│≦０．０７λ２ｒｍｓ （２７）
【手続補正２３１】
【補正対象書類名】明細書
【補正対象項目名】０２６１
【補正方法】変更
【補正の内容】
【０２６１】
請求項３２に記載の光ピックアップ装置において、例えば対物レンズに回折構造を設けるなどして、│δＳＡ3／δＵ│・│δＵ│と│δＳＡ4／δＴ│・│δＴ│との和、及び│δＳＡ5／δＵ│・│δＵ│と│δＳＡ6／δＴ│・│δＴ│との和に着目し、かかる和をそれぞれ０．０７λ１ｒｍｓ、０．０７λ２ｒｍｓ以下とすることで、前記対物レンズに異なる光源波長の発散光束を入射させた状態でも、２つの光情報記憶媒体に対して情報の記録又は再生を適切に行うことができ、対物レンズに入射させる平行光束を形成するためのコリメータレンズなどを省略でき、コスト低減を図れると共に、光ピックアップ装置の構成をコンパクト化できる。
【手続補正２３２】
【補正対象書類名】明細書
【補正対象項目名】０２６２
【補正方法】変更
【補正の内容】
【０２６２】
請求項３３に記載の対物レンズは、透明基板の厚さがｔ1である第１の光情報記録媒体と、透明基板の厚さがｔ2（ｔ1＜ｔ2）である第２の光情報記録媒体に対して光束を出射する光源と、前記光源から出射された光束を、前記第１及び前記第２の光情報記録媒体の透明基板を介して情報記録面に集光させる対物レンズを含む集光光学系と、を有し、各光情報記録媒体に対して情報の記録及び／又は再生を行う光ピックアップ装置において、
前記対物レンズの少なくとも一方の面は、前記対物レンズの有効径内において、少なくとも２種類以上の光学面領域で構成され、光軸直角方向において最も外側の光学面領域、もしくは最も外側の光学面領域を通過した光束が通過する他方の面の領域には回折輪帯を形成したｎ次光を利用する回折部が形成されており、
前記対物レンズの焦点距離をｆとしたときに、前記回折輪帯の平均ピッチＰｏｕｔが
２．００×１０-4≦Ｐｏｕｔ／（｜ｎ｜・ｆ）≦３．５０×１０-3      （１０３）
を満たすことを特徴とする。
【手続補正２３３】
【補正対象書類名】明細書
【補正対象項目名】０２６３
【補正方法】削除
【補正の内容】
【手続補正２３４】
【補正対象書類名】明細書
【補正対象項目名】０２６４
【補正方法】削除
【補正の内容】
【手続補正２３５】
【補正対象書類名】明細書
【補正対象項目名】０２６５
【補正方法】削除
【補正の内容】
【手続補正２３６】
【補正対象書類名】明細書
【補正対象項目名】０２６６
【補正方法】削除
【補正の内容】
【手続補正２３７】
【補正対象書類名】明細書
【補正対象項目名】０２６７
【補正方法】削除
【補正の内容】
【手続補正２３８】
【補正対象書類名】明細書
【補正対象項目名】０２６８
【補正方法】削除
【補正の内容】
【手続補正２３９】
【補正対象書類名】明細書
【補正対象項目名】０２６９
【補正方法】削除
【補正の内容】
【手続補正２４０】
【補正対象書類名】明細書
【補正対象項目名】０２７０
【補正方法】削除
【補正の内容】
【手続補正２４１】
【補正対象書類名】明細書
【補正対象項目名】０２７１
【補正方法】変更
【補正の内容】
【０２７１】
請求項３４に記載の光ピックアップ装置は、透明基板の厚さがｔ1である第１の光情報記録媒体と、透明基板の厚さがｔ2（ｔ1＜ｔ2）である第２の光情報記録媒体に対して光束を出射する光源と、前記光源から出射された光束を、前記第１及び前記第２の光情報記録媒体の透明基板を介して情報記録面に集光させる対物レンズを含む集光光学系と、を有し、各光情報記録媒体に対して情報の記録及び／又は再生を行う光ピックアップ装置において、
前記対物レンズの少なくとも一方の面は、前記対物レンズの有効径内において、少なくとも２種類以上の光学面領域で構成され、
前記対物レンズの光軸直角方向において最も外側の光学面領域、もしくは最も外側の光学面領域を通過した光束が通過する他方の面の領域には回折輪帯を形成することで、前記第１の光情報記録媒体の情報の記録又は再生を行う際に、前記最も外側の光学面領域を通過する光束に対して温度特性の補正を行うようになっており、
一方、外側の光学面領域より内側の領域を通過する光束に対して、前記第２の光情報記録媒体の情報の記録又は再生用の球面収差の設計が行われることを特徴とする。
【手続補正２４２】
【補正対象書類名】明細書
【補正対象項目名】０２７２
【補正方法】削除
【補正の内容】
【手続補正２４３】
【補正対象書類名】明細書
【補正対象項目名】０２７３
【補正方法】削除
【補正の内容】
【手続補正２４４】
【補正対象書類名】明細書
【補正対象項目名】０２７４
【補正方法】削除
【補正の内容】
【手続補正２４５】
【補正対象書類名】明細書
【補正対象項目名】０２７５
【補正方法】削除
【補正の内容】
【手続補正２４６】
【補正対象書類名】明細書
【補正対象項目名】０２７６
【補正方法】変更
【補正の内容】
【０２７６】
請求項３５に記載の光ピックアップ装置は、透明基板の厚さがｔ1である第１の光情報記録媒体に対して光束を出射する波長λ1の第１の光源と、透明基板の厚さがｔ2（ｔ1＜ｔ2）である第２の光情報記録媒体に対して光束を出射する波長λ2（λ1＜λ2）である第２の光源と、前記第１及び前記第２の光源から出射された光束を、前記第１及び前記第２の光情報記録媒体の透明基板を介して情報記録面に集光させる対物レンズを含む集光光学系と、を有し、各光情報記録媒体に対して情報の記録及び／又は再生を行う光ピックアップ装置において、
前記対物レンズの少なくとも一方の面は、前記対物レンズの有効径内において、少なくとも２種類以上の光学面領域で構成され、
前記対物レンズの光軸直角方向において最も外側の光学面領域、もしくは最も外側の光学面領域を通過した光束が通過する他方の面の領域には回折輪帯を形成することで、前記第１の光情報記録媒体の情報の記録又は再生を行う際に、前記最も外側の光学面領域を通過する光束に対して温度特性の補正を行うようになっており、
一方、外側の光学面領域より内側の領域を通過する光束に対して、前記第２の光情報記録媒体の情報の記録又は再生用の球面収差の設計が行われることを特徴とする。
【手続補正２４７】
【補正対象書類名】明細書
【補正対象項目名】０２７７
【補正方法】削除
【補正の内容】
【手続補正２４８】
【補正対象書類名】明細書
【補正対象項目名】０２７８
【補正方法】削除
【補正の内容】
【手続補正２４９】
【補正対象書類名】明細書
【補正対象項目名】０２７９
【補正方法】削除
【補正の内容】
【手続補正２５０】
【補正対象書類名】明細書
【補正対象項目名】０２８０
【補正方法】削除
【補正の内容】
【手続補正２５１】
【補正対象書類名】明細書
【補正対象項目名】０２８１
【補正方法】削除
【補正の内容】
【手続補正２５２】
【補正対象書類名】明細書
【補正対象項目名】０２８２
【補正方法】削除
【補正の内容】
【手続補正２５３】
【補正対象書類名】明細書
【補正対象項目名】０２８３
【補正方法】削除
【補正の内容】
【手続補正２５４】
【補正対象書類名】明細書
【補正対象項目名】０２８４
【補正方法】削除
【補正の内容】
【手続補正２５５】
【補正対象書類名】明細書
【補正対象項目名】０２８５
【補正方法】削除
【補正の内容】
【手続補正２５６】
【補正対象書類名】明細書
【補正対象項目名】０２８６
【補正方法】削除
【補正の内容】
【手続補正２５７】
【補正対象書類名】明細書
【補正対象項目名】０２８７
【補正方法】削除
【補正の内容】
【手続補正２５８】
【補正対象書類名】明細書
【補正対象項目名】０２８８
【補正方法】削除
【補正の内容】